(57)【要約】【目的】ドライブトランスの電源電圧を変化させずに水平出力トランジスタのスイッチングロスを低減することができる水平ドライブ回路を提供する。【構成】回路４のトランジスタＱ３のベースは、抵抗Ｒ１１及びツェナーダイオードＤ１を介して抵抗Ｒ５と抵抗Ｒ６との接続点に接続されており、トランジスタＱ３には画面輝度に関する情報が入力される。画面が明るいときには抵抗Ｒ５の電圧降下が大きくなってダイオードＤ１及びトランジスタＱ３はＯＦＦし、水平ドライブトランジスタＱ１のベースに電流が過剰供給されてＯＮ期間が長くなり、トランスＴ１の一次側に蓄えられるエネルギーが増加し、水平ドライブトランジスタＱ１の短くなったＯＦＦ期間中にトランスＴ１の二次側から放出される水平出力トランジスタＱ２用のベース電流において正側ピークが増加する。【選択図】　　　　　　　図１
2004004254.tif 000002
【特許請求の範囲】
【請求項１】
画面輝度に関する情報を入力し、画面輝度が高いときにはドライブトランスの一次側でのエネルギー貯蓄が増大するように水平ドライブトランジスタのＯＮ／ＯＦＦ時間を制御する一方、画面輝度が低いときにはドライブトランスの一次側でのエネルギー貯蓄が減少するように水平ドライブトランジスタのＯＮ／ＯＦＦ時間を制御するフィードバック制御手段を備えたことを特徴とする水平ドライブ回路。
【請求項２】
水平振幅に関する情報を入力し、水平振幅が大きいときにはドライブトランスの一次側でのエネルギー貯蓄が増大するように水平ドライブトランジスタのＯＮ／ＯＦＦ時間を制御する一方、水平振幅が小さいときにはドライブトランスの一次側でのエネルギー貯蓄が減少するように水平ドライブトランジスタのＯＮ／ＯＦＦ時間を制御するフィードバック制御手段を備えたことを特徴とする水平ドライブ回路。
【発明の詳細な説明】
【０００１】
【産業上の利用分野】
この発明は、例えばテレビジョン受像機等に用いられる水平ドライブ回路に関する。
【０００２】
【従来の技術】
受像管を水平駆動する水平出力トランジスタのスイッチングロスを低減するためには、水平出力トランジスタのベース電流を負荷に応じて（そのコレクタ電流に応じて）適正変化させることが必要である。従来技術では、輝度情報や水平振幅情報を利用してドライブトランスに供給する電源電圧を変化させることにより、水平出力トランジスタへのベース電流を変化させ、水平出力トランジスタのスイッチングロスを低減していた。
【０００３】
【発明が解決しようとする課題】
しかしながら、テレビジョンセットの低価格化が求められるなかで水平出力トランジスタのコスト低減も求められており、このような低コストの水平出力トランジスタでは電流増幅率（Ｈｆｅ）が小さく、そのベース電流を多く必要とすることになる。水平出力トランジスタのベース電流を多くするためには、ドライブトランスに高い電流供給能力を必要とするが、ドライブトランスもコスト低減の対象として小型化の傾向にあり、十分な電流供給能力を確保できない。また、水平ドライブ回路の電源電圧を変える場合には、ベース電流のＯＮ期間全てを持ち上げるためにピーク値を大きく変化させることになるので電源電圧も大きく変化させる必要があるが、当該電源は、近年、抵抗のドロップロスを小さくするために低電圧駆動設計が行われており、電源の電圧自体も簡単には上げられない。
【０００４】
この発明は、上記の事情に鑑み、ドライブトランスの電源電圧を変化させずに水平出力トランジスタへのベース電流を変化させて水平出力トランジスタのスイッチングロスを低減することができる水平ドライブ回路を提供することを目的とする。
【０００５】
【課題を解決するための手段】
この発明の水平ドライブ回路は、上記課題を解決するために、画面輝度に関する情報を入力し、画面輝度が高いときにはドライブトランスの一次側でのエネルギー貯蓄が増大するように水平ドライブトランジスタのＯＮ／ＯＦＦ時間を制御する一方、画面輝度が低いときにはドライブトランスの一次側でのエネルギー貯蓄が減少するように水平ドライブトランジスタのＯＮ／ＯＦＦ時間を制御するフィードバック制御手段を備えたことを特徴とする。
【０００６】
上記の構成であれば、画面輝度に応じてドライブトランスの一次側でのエネルギー貯蓄が増大／減少するように水平ドライブトランジスタのＯＮ／ＯＦＦ時間が制御され、ドライブトランスの二次側では短時間／長時間で貯蓄エネルギーが放出されることになり、この二次側に接続される水平出力トランジスタのベース電流のピーク値が増大／減少する。これにより、ドライブトランスの二次側に接続される水平出力トランジスタのベース電流が負荷に応じて適正変化され、スイッチングロスの低減が図れる。
【０００７】
また、この発明の水平ドライブ回路は、水平振幅に関する情報を入力し、水平振幅が大きいときにはドライブトランスの一次側でのエネルギー貯蓄が増大するように水平ドライブトランジスタのＯＮ／ＯＦＦ時間を制御する一方、水平振幅が小さいときにはドライブトランスの一次側でのエネルギー貯蓄が減少するように水平ドライブトランジスタのＯＮ／ＯＦＦ時間を制御するフィードバック制御手段を備えたことを特徴とする。
【０００８】
上記の構成であれば、水平振幅に応じてドライブトランスの一次側でのエネルギー貯蓄が増大／減少するように水平ドライブトランジスタのＯＮ／ＯＦＦ時間が制御され、ドライブトランスの二次側では短時間／長時間で貯蓄エネルギーが放出されることになり、この二次側に接続される水平出力トランジスタのベース電流のピーク値が増大／減少する。これにより、ドライブトランスの二次側に接続される水平出力トランジスタのベース電流が負荷に応じて適正変化され、スイッチングロスの低減が図れる。
【０００９】
【発明の実施の形態】
以下、この発明の実施形態を図１及び図２に基づいて説明する。
【００１０】
図１にはこの実施形態の水平ドライブ回路及び水平出力回路を示している。ＩＣ１は発振回路や水平プリドライブ回路等を内蔵した集積回路であり、水平ドライブ端子からの水平プリドライブ出力（水平ドライブ波形）は、抵抗Ｒ１と抵抗Ｒ２とで分割され、抵抗Ｒ３とコンデンサＣ１の並列回路を通って水平ドライブトランジスタＱ１のベースに供給されるようになっている。水平ドライブ用の電源＋Ｂ２は抵抗Ｒ４とコンデンサＣ２で平滑されてドライブトランスＴ１の一次側巻線の一端に供給されており、他端側はドライブトランジスタＱ１のコレクタに接続されている。また、当該他端側にはダンパー用のコンデンサＣ３の一端側が接続されており、このコンデンサＣ３の一端側及び前記ドライブトランジスタＱ１のエミッタは各々接地されている。
【００１１】
ドライブトランスＴ１の二次側巻線の一端は接地されており、他端はコイルＬ１を介して水平出力トランジスタＱ２のベースに接続されている。水平出力トランジスタＱ２のコレクタ−エミッタ間には偏向補正回路（ダイオードモジュレータ回路）が接続されている。この偏向補正回路の出力部分は、直列接続された水平偏向コイルＬ２とＳ字補正コンデンサＣ４及び直列接続されたピンクッション補正（ＰＣＣ）用コイルＬ３とコンデンサＣ５とを直列接続して成り、ピンクッション補正用コイルＬ３とコンデンサＣ５との接続点にはピンクッション補正電圧が印加されるようになっている。ピンクッション補正電圧はＰＣＣドライブ回路２の出力をベースにて受けるＰＣＣ出力トランジスタＱ４のエミッタからコイルＬ４を経て供給される。
【００１２】
また、水平出力トランジスタＱ２のベースにベース電流が印加され、Ｑ２がＯＮするとＣ４から水平偏向コイルＬ２にノコギリ波状の偏向電流が流れる。フライバックトランス（ＦＢＴ）を含む水平出力回路３は、フライバックパルスを利用して図示しない受像管に高圧を供給すると共に他の回路に電源を供給する。
【００１３】
水平出力用の電源＋Ｂ１には抵抗Ｒ５と抵抗Ｒ６と抵抗Ｒ７とが直列接続されている。抵抗Ｒ７には電圧平滑用のコンデンサＣ６が並列接続されている。抵抗Ｒ６と抵抗Ｒ７との接続点には自動輝度制限（ＡＢＬ）回路が接続される。自動輝度制限回路はフライバックトランス（ＦＢＴ）を含む水平出力回路３の電流変化を検出し、これを映像増幅回路に負帰還させて受像管のカソード電圧を上げ、ビーム電流を制限するようになっている。
【００１４】
図において点線枠で囲まれた回路４は、水平出力トランジスタＱ２のスイッチングロスを低減するために設けたこの発明にかかる回路である。回路４のトランジスタＱ３のベースは、抵抗Ｒ１１及びツェナーダイオードＤ１を介して抵抗Ｒ５と抵抗Ｒ６との接続点に接続されている。すなわち、トランジスタＱ３には画面輝度に関する情報が入力される。トランジスタＱ３のコレクタには抵抗Ｒ１０の一端が接続されており、この抵抗Ｒ１０の他端は前述した抵抗Ｒ１と抵抗Ｒ２との接続点に接続されている。
【００１５】
画面が明るいときには受像管のビーム電流が多く流れるため、抵抗Ｒ５の電圧降下が大きくなり、ツェナーダイオードＤ１のカソード側電位がツェナー電位を下回るとツェナーダイオードＤ１はＯＦＦ状態となる。ツェナーダイオードＤ１がＯＦＦするとトランジスタＱ３もＯＦＦし、抵抗Ｒ１０はオープン状態となり、抵抗Ｒ２の両端電圧は上昇する。すると、水平ドライブトランジスタＱ１のベースに電流が過剰供給されることになり、図２の（ａ）に示すように、ストレージタイムが長くなる。これにより、図２の（ｂ）（ｃ）に示すように、水平ドライブトランジスタＱ１のＯＮ期間が長くなる。水平ドライブトランジスタＱ１のＯＮ期間が長くなれば、ドライブトランスＴ１の一次側に蓄えられるエネルギーが増加し、図２の（ｄ）（ｅ）に示すように、水平ドライブトランジスタＱ１の短くなったＯＦＦ期間中にドライブトランスＴ１の二次側から放出される水平出力トランジスタＱ２用のベース電流において正側ピークが増加する。ベース電流のピークが増加すればコレクタ電流の増加に対応して適切なスイッチが可能になり、ロスが減少することになる。
【００１６】
一方、画面が暗いときには受像管のビーム電流が少なくなるため、抵抗Ｒ５の電圧降下は小さくなり、ツェナーダイオードＤ１はＯＮ状態となる。このため、トランジスタＱ３はＯＮし、並列接続状態となる抵抗Ｒ１０と抵抗Ｒ２とによって全体抵抗Ｒ値は下がり、水平ドライブトランジスタＱ１のベース電圧は低下する。従って、前述した動作とは逆の動作が行われることになる。このようにして、水平出力トランジスタＱ２のベース電流は、負荷に応じて（図２の（ｄ）に示すごとく、コレクタ電流に応じて）適正変化されることになる。なお、水平出力トランジスタＱ２においてベース電流とコレクタ電流の位相関係は少しずれることになるが、このようなずれが生じてもダンパー電流が収束する前にベース電流を供給してトランジスタＱ２をＯＮさせれば動作は連続的で問題はない。
【００１７】
この実施形態では、更に、回路４のトランジスタＱ３のベースに抵抗Ｒ１２を介してツェナーダイオードＤ２のアノードを接続し、このツェナーダイオードＤ２のカソードをＰＣＣ出力トランジスタＱ４のエミッタに接続している。すなわち、トランジスタＱ３には水平振幅に関する情報も入力されるようにしてある。ここで、ワイドテレビの場合、ノーマル画面とその他の画面とでは水平振幅が大きく異なることになる。ノーマル画面のときには振幅を小さくするため、ＰＣＣ出力トランジスタＱ４のＤＣレベルが大きく上昇し、ツェナーダイオードＤ２はＯＮになる。すると、トランジスタＱ３がＯＮし、抵抗Ｒ１０と抵抗Ｒ２とによって全体抵抗Ｒ値は下がり、水平ドライブトランジスタＱ１のベース電圧は低下する。これにより、水平出力トランジスタＱ２のベース電流も減少する。そして、このように水平振幅が小さいときには、水平出力トランジスタＱ２のコレクタ電流も減少するのであるから、水平出力トランジスタＱ２のドライブ条件が適正化されてスイッチングロスが軽減されることになる。
【００１８】
以上説明したように、水平ドライブトランジスタＱ１のストレージタイムが変化してＯＮ期間が変化することで、水平出力トランジスタＱ２においてはコレクタ電流波形の変化に追従してベース電流が変化することになるが（図２参照）、特にベース電流の正側ピーク波形は例えば大画面テレビ用のドライブトランスならストレージタイムを３μＳ〜４μＳ程度長くしてやれば、ベース電流のピーク値は０．６Ａから０．９Ａ程度まで増加するため、補正量としてはかなり大きく、適正化が行いやすい。
【００１９】
【発明の効果】
以上説明したように、この発明によれば、ドライブトランスの電源電圧を変化させずに水平出力トランジスタへのベース電流を変化させて水平出力トランジスタのスイッチングロスを低減することができるので、水平出力トランジスタやドライブトランスとして低価格のものを用いることができるので、水平ドライブ回路としても低価格化が図れるという効果を奏する。
【図面の簡単な説明】
【図１】この発明の実施形態の水平ドライブ回路を示した回路図である。
【図２】水平ドライブ回路における各箇所での電圧／電流波形を示したグラフである。
【符号の説明】
１　　ＩＣ
２　　ＰＣＣドライブ回路
３　　フライバックトランス（ＦＢＴ）を含む水平出力回路
４　　回路
Ｑ１　水平ドライブトランジスタ
Ｑ２　水平出力トランジスタ
Ｔ１　ドライブトランス
【図１】
2004004254.tif 000003
【図２】
2004004254.tif 000004